(57)【要約】【課題】  記録／再生方法、記録／再生装置及び情報記録媒体が開示される。【解決手段】  該情報記録媒体にデータを記録する方法は、情報記録媒体の使用方式の変更によって、情報記録媒体の管理情報に含まれた可変サイズの第１情報構造と固定サイズの第２情報構造との順序を再配列し、固定サイズの第２情報構造の次に、可変サイズの第１情報構造が位置するように配列する段階と、再配列された管理情報を情報記録媒体に記録する段階とを含む。これにより、ファイナライズされた情報記録媒体での記録管理情報を固定された位置で見つけ出すことができるようになり、記録管理情報を見つけ出すことが容易に、かつ速かに見つけ出すことができる。【選択図】      図７
2011081908.tif 000002
【特許請求の範囲】
【請求項１】
情報記録媒体であって、
ユーザ・データが記録されるユーザ・データ領域と、
第１データ、パッディング・データ、第２データ及び第３データを有する記録管理情報を含む第１領域であり、可変サイズの前記第１データ、未記録領域を満たす前記パッディング・データ、可変サイズの前記第２データ、固定サイズの前記第３データという順序で記録され、前記パッディング・データが前記第２データに先んじ、且つ前記第２データが前記第３データに先んじる、第１領域と、
前記第１領域と異なる第２領域であって、複数のデータフレームを有し、以下の順で、前記第３データの複製が前記複数のデータフレームのうちの第１データフレームに記録され、前記第２データの複製が前記複数のデータフレームのうちの第２データフレームから記録され、且つ前記パッディング・データが前記複数のデータフレームのうちの残りのデータフレームに記録されるように、前記記録管理情報の複製が所定の順序で記録される第２領域を含み、
前記第２データ及び第３データの複製は、前記ユーザ・データ領域に記録された前記ユーザ・データを管理するために、記録／再生装置により使用され、
前記第１領域及び第２領域は、前記ユーザ・データ領域と異なる、
情報記録媒体。
【請求項２】
ユーザ・データが記録されるユーザ・データ領域、第１領域、及び前記ユーザ・データ領域と異なり且つ複数のデータフレームを有する第２領域を含む情報記録媒体に、データを記録する記録方法であって、
パッディング・データ、第２データ及び第３データを有する管理情報を、前記第１領域に記録する段階であり、未記録領域を満たす前記パッディング・データ、可変サイズの前記第２データ、固定サイズの前記第３データという順序で記録され、前記パッディング・データが前記第２データに先んじ、且つ前記第２データが前記第３データに先んじる、段階と、
以下の順で、前記第３データの複製が前記複数のデータフレームのうちの第１データフレームに記録され、前記第２データの複製が前記複数のデータフレームのうちの第２データフレームから記録され、且つ未記録領域を満たす前記パッディング・データが前記複数のデータフレームのうちの残りのデータフレームに記録されるように、前記管理情報の複製を所定の順序で前記第２領域に記録する段階と、
を有する記録方法。
【請求項３】
ユーザ・データが記録されるユーザ・データ領域、第１領域、及び前記ユーザ・データ領域と異なり且つ複数のデータフレームを有する第２領域を含む情報記録媒体にデータを記録する記録装置であって、
前記情報記録媒体に対して、データを伝達するために光を照射し且つ／或いは受信するように構成されたピックアップ部と、
パッディング・データ、第２データ及び第３データを有する管理情報を、未記録領域を満たす前記パッディング・データ、可変サイズの前記第２データ、固定サイズの前記第３データという順序で、前記パッディング・データが前記第２データに先んじ且つ前記第２データが前記第３データに先んじるように、前記第１領域に記録し、且つ、以下の順で、前記第３データの複製が前記複数のデータフレームのうちの第１データフレームに記録され、前記第２データの複製が前記複数のデータフレームのうちの第２データフレームから記録され、且つ未記録領域を満たす前記パッディング・データが前記複数のデータフレームのうちの残りのデータフレームに記録されるように、前記管理情報の複製を所定の順序で前記第２領域に記録するよう、前記ピックアップ部を制御するように構成された制御部と、
を有する記録装置。
【発明の詳細な説明】
【技術分野】
【０００１】
本発明は情報記録媒体に係り、さらに具体的には、情報記録媒体から記録管理情報を容易に見つけ出させる記録／再生方法、記録／再生装置及び情報記録媒体に関する。
【背景技術】
【０００２】
ブルーレイディスク・レコーダブル（ＢＤ−Ｒ：Blu-ray  Disc  Recordable）ディスクは、ディスク上の欠陥を正常な記録領域と置換できる記録機能を有し、かような機能を欠陥管理という。また、ディスクのユーザ・データ領域を複数の順次記録範囲（ＳＲＲ：Sequential  Recording  Range）に分け、それぞれのＳＲＲで増加記録（incremental  recording）を行うことができ、かような記録モードを順次記録モード（ＳＲＭ：Sequential  Recording  Mode）という。また。既記録領域に対するホストの記録命令を未記録領域に代替して記録でき、かような機能を論理的オーバーライト（ＬＯＷ：Logical  Overwrite）という。
【０００３】
このように、かようなディスクの全般的な使用と管理とに必要な情報を臨時ディスク管理領域（ＴＤＭＡ：Temporary  Disc  Management  Area）というところに保存している。ＴＤＭＡは、ディスク上のリードイン領域に割り当てられて使用され、さらにユーザ・データ領域のスペア領域の一部を割り当てられて使用することもでき、ディスク上に複数のＴＤＭＡ領域が割り当てられうる。
【０００４】
ＴＤＭＡ情報はさらに、臨時ディスク定義構造（ＴＤＤＳ：Temporary  Disc  Definition  Structure）、臨時欠陥リスト（ＴＤＦＬ：Temporary  Defect  List）、順次記録範囲情報（ＳＲＲＩ：Sequential  Recording  Range  Information）に区分され、複数のＴＤＭＡ領域が割り当てられうるので、ファイナルＴＤＭＡが記録された位置情報を容易に、かつ速かに見つけ出すために、接近情報領域（ＡＴＤＭＡ）を別途に必要とする。
【０００５】
ＴＤＤＳは、割り当てられたスペア領域サイズ及び位置情報、ＳＲＲＩとＴＤＦＬとが記録された位置情報を含んでいる。ＴＤＦＬは、ディスク使用中に発見された欠陥（defect）についての情報及びその代替（replacement）情報だけではなく、ＬＯＷによる代替情報を含んでおり、ＳＲＲＩは、順次記録（Sequential  Recording）によるそれぞれのＳＲＲ情報を含んでいる。
【０００６】
一方、記録用情報記録媒体の場合、情報記録媒体にデータを記録しつつ使用していて、それ以上情報記録媒体にデータを記録せずに再生用にのみ使用したい場合、情報記録媒体をファイナライズする。情報記録媒体のファイナライズ時には、臨時的に記録された記録管理情報のうち、最終記録管理情報を所定の領域にコピーして記録するが、このとき、最終記録管理情報の運用を良好に行うことができなければ、ファイナライズされた情報記録媒体から最終記録管理情報を容易に見つけ出し難くなりうる。
【発明の概要】
【発明が解決しようとする課題】
【０００７】
本発明は、前記のような問題点を解決し、情報記録媒体から記録管理情報を容易に見つけ出させる記録／再生方法、記録／再生装置及び情報記録媒体を提供することを目的とする。
【課題を解決するための手段】
【０００８】
前記のような課題を解決するための本発明の１つの特徴は、情報記録媒体にデータを記録する方法において、前記情報記録媒体の使用方式の変更によって、前記情報記録媒体の管理情報に含まれた可変サイズの第１情報構造と固定サイズの第２情報構造との順序を再配列し、固定サイズの第２情報構造の次に、可変サイズの第１情報構造が位置するように配列する段階と、前記再配列された管理情報を前記情報記録媒体に記録する段階とを含むことである。
【０００９】
前記第１情報構造は、記録管理情報であり、前記第２情報構造は、前記第１情報構造の位置情報を含むことが望ましい。
【００１０】
前記情報記録媒体の使用方式の変更は、前記情報記録媒体のファイナライズを示す。
【００１１】
前記記録段階は、前記再配列された管理情報を前記情報記録媒体の最終管理情報を記録するための領域に記録する段階を含むことが望ましい。
【００１２】
本発明の他の特徴は、情報記録媒体にデータを記録する方法において、前記情報記録媒体のファイナライズによって、前記情報記録媒体の臨時ディスク管理構造（ＴＤＭＳ）に含まれた可変サイズの順次記録情報（ＳＲＲＩ）と固定サイズの臨時ディスク定義構造（ＴＤＤＳ）との順序を再配列し、固定サイズのＴＤＤＳの次に可変サイズのＳＲＲＩが位置するように配列する段階と、前記再配列された臨時ディスク管理構造（ＴＤＭＳ）を前記情報記録媒体のディスク管理領域（ＤＭＡ）に記録する段階とを含むことである。
【００１３】
本発明のさらに他の特徴は、情報記録媒体にデータを記録する装置において、前記情報記録媒体へ／からのデータ記録／読み出しを行う記録／読出し部と、前記情報記録媒体の使用方式の変更によって、前記情報記録媒体の管理情報に含まれた可変サイズの第１情報構造と固定サイズの第２情報構造との順序を再配列し、固定サイズの第２情報構造の次に、可変サイズの第１情報構造が位置するように配列し、前記再配列された管理情報を前記情報記録媒体に記録するように、前記記録／読出し部を制御する制御部とを備えることである。
【００１４】
本発明のさらに他の特徴は、情報記録媒体にデータを記録する装置において、前記情報記録媒体へ／からのデータ記録／読み出しを行う記録／読出し部と、前記情報記録媒体のファイナライズによって、前記情報記録媒体の臨時ディスク管理構造（ＴＤＭＳ）に含まれた可変サイズの順次記録情報（ＳＲＲＩ）と固定サイズの臨時ディスク定義構造（ＴＤＤＳ）との順序を再配列し、固定サイズのＴＤＤＳの次に可変サイズのＳＲＲＩが位置するように配列し、前記再配列された臨時ディスク管理構造（ＴＤＭＳ）を前記情報記録媒体のディスク管理領域（ＤＭＡ）に記録するように、前記記録／読出し部を制御する制御部とを備えることである。
【００１５】
本発明のさらに他の特徴は、ファイナライズされた情報記録媒体からデータを再生する方法において、前記情報記録媒体のディスク管理領域で、固定サイズのＴＤＤＳの次の位置でＳＲＲＩを読み出す段階と、前記読み出されたＳＲＲＩを利用してデータ再生を管理する段階とを含むことである。
【００１６】
本発明のさらに他の特徴は、ファイナライズされた情報記録媒体からデータを再生する装置において、前記情報記録媒体からデータを読み出す読出し部と、前記情報記録媒体のディスク管理領域で、固定サイズのＴＤＤＳの次の位置でＳＲＲＩを読み出すように前記読出し部を制御し、前記読み出されたＳＲＲＩを利用してデータ再生を管理する制御部とを備えることである。
【００１７】
本発明のさらに他の特徴は、情報記録媒体において、前記情報記録媒体の使用方式の変更によって、前記情報記録媒体の管理情報に含まれた可変サイズの第１情報構造と固定サイズの第２情報構造との順序を再配列し、固定サイズの第２情報構造の次に、可変サイズの第１情報構造が位置するように配列された前記管理情報が記録される領域を含むことである。
【００１８】
本発明のさらに他の特徴は、情報記録媒体において、前記情報記録媒体のファイナライズによって、前記情報記録媒体の臨時ディスク管理構造（ＴＤＭＳ）に含まれた可変サイズの順次記録情報（ＳＲＲＩ）と固定サイズの臨時ディスク定義構造（ＴＤＤＳ）との順序を再配列し、固定サイズのＴＤＤＳの次に可変サイズのＳＲＲＩが位置するように配列された臨時ディスク管理構造（ＴＤＭＳ）を記録するためのディスク管理領域（ＤＭＡ）を含むことである。
【００１９】
本発明のさらに他の特徴は、情報記録媒体にデータを記録する方法において、前記情報記録媒体のディスク管理領域（ＤＭＡ）にディスク定義構造（ＤＤＳ）が最後に記録されるデータフレームの次のデータフレームから順次記録情報（ＳＲＲＩ）を記録する段階を含むことである。
【００２０】
前記ディスク管理領域で、前記ディスク定義構造及び前記順次記録情報が記録されて残ったデータフレームには、無意味なデータを記録する段階をさらに含むことが望ましい。
【００２１】
本発明のさらに他の特徴は、情報記録媒体にデータを記録する装置において、前記情報記録媒体へ／からのデータ記録／読み出しを行う記録／読出し部と、前記情報記録媒体のディスク管理領域（ＤＭＡ）にディスク定義構造（ＤＤＳ）が最後に記録されるデータフレームの次のデータフレームから順次記録情報（ＳＲＲＩ）を記録するように、前記記録／読出し部を制御する制御部とを備えることである。
【００２２】
前記制御部は、前記ディスク管理領域で、前記ディスク定義構造及び前記順次記録情報が記録されて残ったデータフレームには、無意味なデータを記録するように、前記制御部をさらに制御することが望ましい。
【００２３】
本発明のさらに他の特徴は、情報記録媒体において、ディスク定義構造（ＤＤＳ）が最後に記録されるデータフレームの次のデータフレームから順次記録情報（ＳＲＲＩ）が記録されたディスク管理領域（ＤＭＡ）を含むことである。
【００２４】
前記ディスク管理領域で、前記ディスク定義構造及び前記順次記録情報が記録されて残ったデータフレームには、無意味なデータが記録されていることが望ましい。
【発明の効果】
【００２５】
本発明によれば、ファイナライズされた情報記録媒体での記録管理情報を固定された位置で見つけ出すことができるようになり、記録管理情報を見つけ出すことが容易に、かつ速かに見つけ出すことができる。しかし、本発明の特徴は、媒体のファイナライズ以外に、他のオペレーションにも適用でき、それに制限されるものではない例として説明されたＳＲＲＩ、ＴＤＦＬ、ＴＤＤＳ構造の制限なしに、複数の可変サイズ及び／または固定サイズを有するデータ構造に使われうることを理解することが必要である。
【図面の簡単な説明】
【００２６】
【図１】ファイナライズされた情報記録媒体の一例を示す図である。
【図２】ＴＤＭＳアップデート・ユニットの一例を示す図である。
【図３Ａ】図２に示されたＴＤＭＳアップデート・ユニットが１ブロックで構成された例を示す図である。
【図３Ｂ】図２に示されたＴＤＭＳアップデート・ユニットが２ブロックで構成された例を示す図である。
【図４】ＴＤＭＳアップデート・ユニットの他の例を示す図である。
【図５】ファイナルＴＤＭＳをＤＭＡにコピーする概念について説明するための参考図である。
【図６】ファイナルＴＤＭＳをＤＭＡにコピーした後でのファイナルＴＤＤＳとＤＤＳとの内容の図である。
【図７】本発明によって、ファイナルＴＤＭＳをＤＭＳにコピーする概念について説明するための参考図である。
【図８】図７に示されたＳＲＲＩの内容を示す図である。
【図９】本発明による記録／再生装置の概略図である。
【図１０】図９に示された記録／再生装置の細部的な構成図である。
【図１１】本発明によるデータ記録方法の過程を示すフローチャートである。
【図１２】本発明によるデータ再生方法の過程を示すフローチャートである。
【発明を実施するための最良の形態】
【００２７】
以下、添付された図面を参照しつつ、本発明について詳細に説明する。
【００２８】
図１は、ファイナライズされた情報記録媒体の一例を示す。図１を参照するに、ファイナライズされた情報記録媒体１００は、リードイン領域１１０、データ領域１２０、リードアウト領域１３０を含む。
【００２９】
データ領域１２０には、ユーザ・データ１２１が記録され、リードイン領域１１０とリードアウト領域１３０とには、データの記録管理または欠陥管理のための情報、ディスク管理情報が記録される。媒体１００は、ＢＤ−Ｒ（Blu-ray  Disc  Recordable）のような追記型ディスク、追記型ＨＤ−ＤＶＤになりうるが、それらに限定されるものではない。本発明の特徴は、磁気ディスクのような非光学式媒体だけではなくして書換え可能媒体にも適用されうる。
【００３０】
かような情報記録媒体１００のデータ領域１２０にユーザ・データを記録しつつ使用していて、ユーザがそれ以上情報記録媒体にデータを記録せずに、該情報記録媒体を再生用にのみ使用することを望む場合、ユーザは、該情報記録媒体のファイナライズ（finalization）を行う。
【００３１】
情報記録媒体をファイナライズ処理する方法にはさまざまありうる、図１を参照しつつ例を挙げて説明すれば、データ領域にそれ以上データが記録されることを防止するために、データ領域１２０のうち、ユーザ・データ１２１が記録されていない残りの部分を、所定のパッディング・データ１２２で満たす。そして、臨時ディスク管理領域（ＴＤＭＡ）１１２に記録された臨時ディスク管理構造のうち、ファイナル（final）臨時ディスク管理構造（ＴＤＭＳ）をディスク管理領域（ＤＭＡ）１１１，１３１にコピーする。残っているＴＤＭＳは、ファイナライズ前のファイナル記録動作前の記録動作の間に起こった欠陥に係るものである。ＤＭＡにコピーされたＴＤＭＳは、ディスク管理構造（ＤＭＳ）と呼ぶれることもある。今後、このようにファイナライズされた情報記録媒体からデータを再生する場合には、ＤＭＡ  １１１，１３１からＤＭＳを読み出し、該ＤＭＳを参照して情報記録媒体１００からデータを再生する。あらゆる特徴で要求されるわけではないが、ＤＭＡ、ＴＤＭＡは、欠陥管理領域（ＤＭＡ：Defect  Management  Area）及び臨時欠陥管理領域（ＴＤＭＡ：Temporary  Defect  Management  Area）と言及されることも可能である。
【００３２】
ＴＤＭＡには、前述の通り、臨時ディスク定義構造（ＴＤＤＳ：Temporary  Disc  Definition  Structure）、臨時欠陥リスト（ＴＤＦＬ：Temporary  Defect  List）、順次記録範囲情報（ＳＲＲＩ：Sequential  Recording  Range  Information）などを含むＴＤＭＳが記録されうる。そして、かようなＴＤＤＳ、ＴＤＦＬ、ＳＲＲＩは、情報記録媒体１００にデータを記録することによって、所定単位でアップデートされる。例えば、ＴＤＭＳをアップデートするためのユニットには、三つを考慮することができる。第１  ＴＤＭＳアップデート・ユニットは、ＴＤＦＬ、ＳＲＲＩ、ＴＤＤＳがいずれも含まれた形態、第２  ＴＤＭＳアップデート・ユニットは、ＳＲＲＩ、ＴＤＤＳが含まれた形態、第３  ＴＤＭＳアップデート・ユニットはＴＤＦＬ、ＴＤＤＳが含まれた形態である。図２に、第１  ＴＤＭＳアップデート・ユニットの一例が示されている。
【００３３】
図２を参照するに、第１  ＴＤＭＳアップデート・ユニット２００は、ＴＤＦＬ  ２１０、パッディング・データ２２０、ＳＲＲＩ  ２３０、ＴＤＤＳ  ２４０を含む。ＴＤＦＬ  ２１０は欠陥情報を含み、ＳＲＲＩ  ２３０は記録管理情報を含むものであり、情報記録媒体から検出された欠陥の量や記録管理に必要な情報によって、その大きさを可変とすることが望ましい。ＴＤＦＬ  ２１０とＳＲＲＩ  ２３０とのサイズを可変としつつ、１つのアップデート・ユニット２００内で、ＴＤＦＬ  ２１０とＳＲＲＩ  ２３０とのサイズを流動的に設定できる方法は、図２に示されている通り、ＴＤＦＬ  ２１０とＳＲＲＩ  ２３０とをそれぞれ反対方向の終わりから記録し始め、互いに対向する方向に記録する。データの量が十分ではなければ、パッディング・データ２２０は、ＴＤＦＬ  ２１０とＳＲＲＩ  ２３０とのギャップを満たすように利用される。このようにパッディング・データ２２０は、あらゆる特徴で使われる必要はない。
【００３４】
ＴＤＦＬ  ２１０とＳＲＲＩ  ２３０とのデータが記録されていない残りの部分は、パッディング・データ２２０で満たすのである。そして、ＴＤＤＳ  ２４０は、ディスク定義情報を含んでいるが、特に、ＴＤＦＬ  ２１０とＳＲＲＩ  ２３０とのサイズが可変的であるので、ＴＤＦＬとＳＲＲＩとの開始アドレスを示す情報、すなわち、ＴＤＦＬポインタ２４２、ＳＲＲＩポインタ２４１を有している。かようなＴＤＤＳ  ２４０は、固定されたサイズを有する。このように、可変サイズのＴＤＦＬ  ２１０及びＳＲＲＩ  ２３０、そして固定サイズのＴＤＤＳ  ２４０が１つのアップデート・ユニットに含まれることによって、各情報構造、すなわち、ＴＤＦＬ  ２１０、ＳＲＲＩ  ２３０、ＴＤＤＳ  ２４０の順序は、図２に示されている通り、ＴＤＤＳ  ２４０の前にＳＲＲＩ  ２３０が配列され、ＳＲＲＩ  ２３０の前にパッディング・データ２２０、パッディングデータ２２０の前にＴＤＦＬ  ２１０が配列される。
【００３５】
図３Ａは、図２に示されたＴＤＭＳアップデート・ユニットが１ブロックで構成された例を示す。第１  ＴＤＭＳアップデート・ユニット２００が１ブロックで記録することが可能である場合には、図３Ａに示されているような形態となる。そして、第１  ＴＤＭＳアップデート・ユニット２００が１ブロックを超える場合には、２ブロックを利用し、図３Ｂに図示されているような形態となる。それぞれの場合、ＴＤＦＬ  ２１０とＳＲＲＩ  ２３０との開始位置が変わるために、ＴＤＤＳ  ２４０は、ＳＲＲＩポインタ２４１とＴＤＦＬポインタ２４２とを含んでいる。
【００３６】
図４は、ＴＤＭＳアップデート・ユニットの他の例を示す。図４を参照するに、第２  ＴＤＭＳアップデート・ユニット４００は、パッディング・データ４１０、ＳＲＲＩ  ４２０、ＴＤＤＳ  ４３０を含む。ＴＤＤＳ  ４３０は、固定サイズである１セクタから構成され、ＳＲＲＩ  ４２０の開始アドレスを示すＳＲＲＩポインタ４３１を含んでいる。ＳＲＲＩ  ４２０は、可変サイズであるＫセクタから構成される。第２  ＴＤＭＳアップデート・ユニット４００で、ＳＲＲＩ  ４２０に記録されていない残りの部分は、パッディング・データで占められる。図２に図示された第１  ＴＤＭＳアップデート・ユニット２００の構成に対応できるように、第２  ＴＤＭＳアップデート・ユニット４００でも、ＴＤＤＳ  ４３０に隣接し、ＴＤＤＳ  ４３０以前の位置にＳＲＲＩ  ４２０が配されている。データの量が十分ではなければ、パッディング・データ４１０は、ギャップを満たすように使われる。しかし、パッディング・データ４１０は、あらゆる特徴で使われる必要はない。
【００３７】
情報記録媒体のファイナライズ時に、図４に図示された第２  ＴＤＭＳアップデート・ユニット形態を有する最終ＴＤＭＳをＤＭＡにコピーすることについて説明する。
【００３８】
図５は、ファイナルＴＤＭＳをＤＭＡにコピーする概念について説明するための参考図である。図５を参照するに、ＴＤＭＡ  １１２に記録されたファイナルＴＤＭＳ  ５００は、パッディング・データ５１０、ファイナルＳＲＲＩ  ５２０、ファイナルＴＤＤＳ  ５３０から構成されている。そして、ファイナルＴＤＤＳ  ５３０は、ファイナルＳＲＲＩ  ５２０の開始アドレスを示すＳＲＲＩポインタ５３１を含んでいるために、これを介して、ファイナルＳＲＲＩ  ５２０の開始アドレスを見つけ出すことができる。該情報記録媒体のファイナライズ時に、ＴＤＭＡ  １１２のファイナルＴＤＭＳ  ５００は、ＤＭＡ  １１１にコピーされる。ＤＭＡ  １１１にコピーされたファイナルＴＤＭＳは、ＤＭＳ  ６００と呼ぶこともある。すなわち、ファイナルＴＤＭＳ  ５００のパッディング・データ５１０、ファイナルＳＲＲＩ  ５２０、ファイナルＴＤＤＳ  ５３０は、それぞれＤＭＳ  ６００のパッディング・データ６１０、ＳＲＲＩ  ６２０、ＤＤＳ  ６３０としてコピーされる。データの量が十分ではなければ、パッディング・データ５１０は、ギャップを満たすように使われる。しかし、パッディング・データ５１０は、あらゆる特徴で使われる必要はない。
【００３９】
図６を参照するに、ＤＭＡ  １１１のＤＭＳ  ６００は、ファイナルＴＤＭＳ  ５００と正確に同じ内容であるために、ＤＭＳ  ６００に含まれたＤＤＳ  ６３０が含んでいるＳＲＲＩポインタ６３１は、ファイナルＴＤＭＳ  ５００に含まれたファイナルＳＲＲＩ  ５２０の開始アドレスを示しているだけであり、ＤＭＳ  ６００に含まれたＳＲＲＩ  ６２０の開始アドレスを示すことができずにいる。従って、ＤＭＳのＳＲＲＩの開始アドレスを見出せないという短所がある。
【００４０】
本発明はかような短所を解決し、情報記録媒体のファイナライズ時に、ＴＤＭＡに記録されたファイナルＴＤＭＳをＤＭＡにコピーするとき、ＴＤＭＳをそのままＤＭＳにコピーするのではなく、ＴＤＭＳに含まれた情報構造を再配列してＤＭＳにコピーする。
【００４１】
図７は、本発明による、ファイナルＴＤＭＳをＤＭＳにコピーする概念について説明するための参考図である。図７を参照するに、ファイナルＴＤＭＳ  ５００がＤＭＳ  ７００にコピーされるとき、固定サイズのファイナルＴＤＤＳ  ５３０は、ＤＭＳ  ７００の一番最初の位置にＤＤＳ７１０としてコピーし、可変サイズのファイナルＳＲＲＩ  ５２０は、ＤＤＳ７１０の次の位置に配列し、その次に、パッディング・データ７３０を位置させる。すなわち、情報記録媒体のディスク管理領域（ＤＭＡ）に、ディスク定義領域（ＤＤＳ）が最後に記録されるデータフレームの次のデータフレームからＳＲＲＩを記録し、前記ＤＭＡで、前記ＤＤＳ及び前記ＳＲＲＩが記録されて残ったデータフレームには、無意味なデータを記録する。
【００４２】
このように、固定サイズのＤＤＳ  ７１０の次に、可変サイズのＳＲＲＩ  ７２０を配列させることによって、ＤＤＳ  ７１０に含まれたＳＲＲＩポインタを参照せずとも、固定された位置で、すなわち、ＤＤＳ  ７１０の固定されたサイズである１セクタの次からＳＲＲＩ  ７２０が始まることが分かる。
【００４３】
図８は、図７に示されたＳＲＲＩの内容を示している。図８を参照するに、ＳＲＲＩ  ７２０は、ＳＲＲＩヘッダ情報７２１とＳＲＲエントリ情報７２２とを含む。
【００４４】
ＳＲＲＩヘッダ情報７２１は、ＳＲＲＩであることを識別するためのＳＲＲＩ  ＩＤ７２３、ＳＲＲエントリ個数７２４を含み、ＳＲＲエントリ情報７２２は、ＳＲＲエントリ＃１  ７２５、ＳＲＲエントリ＃２  ７２６、…、ＳＲＲエントリ＃Ｎ  ７２７、ＳＲＲターミネータ７２８、００ｈ  ７２９を含む。
【００４５】
図９は、本発明による記録／再生装置の概略図を示している。図９を参照するに、本発明による記録／再生装置９００は、記録または再生が可能な装置であり、記録／読出し部９２０及び制御部９１０を備える。記録／読出し部９２０は、制御部９１０の制御によって、本発明による情報記録媒体のディスク１０へ／からのデータ記録／読出しを行う。制御部９１０は、本発明によって、データを所定記録単位ブロックで記録するように、記録／読出し部９２０を制御したり、あるいは記録／読出し部９２０によって読み出されたデータを処理して有効なデータを得る。
【００４６】
特に、本発明によって制御部９１０は、前記ディスク１０の使用方式の変更によって、前記ディスク１０の管理情報に含まれた可変サイズの第１情報構造と固定サイズの第２情報構造との順序を再配列し、固定サイズの第２情報構造の次に、可変サイズの第１情報構造が位置するように配列し、前記再配列された管理情報を前記ディスク１０に記録するように、前記記録／読出し部９２０を制御する。例えば制御部９１０は、ディスク１０がファイナライズされるとき、図１ないし図８を参照して説明したような再配列を行う。
【００４７】
図１０は、図９に図示された記録／再生装置構成の細部的なブロック図である。図１０を参照するに、ディスクドライブは、記録／読出し部９２０として、ピックアップを具備する。ディスク１０は、ピックアップに装着されている。また、ディスクドライブは、制御部９１０として、ホストＩ／Ｆ（interface）９１１、ＤＳＰ（Digital  Signal  Processor）９１２、ＲＦ  ＡＭＰ（Radio  Frequency  Amplifier）９１３、サーボ９１４及びシステム制御器９１５を具備する。
【００４８】
ディスク１０にデータを記録しつつ使用していて、ユーザがそれ以上該ディスク１０にデータを記録せずに、再生専用にのみ使用したい場合に、ユーザは、ディスク１０をファイナライズすることをホスト９３０に命令し、ホスト９３０は、ファイナライズ命令をホストＩ／Ｆ  ９１１を介してシステム制御器９１５に伝達する。
【００４９】
システム制御器９１５は、ホストＩ／Ｆ  ９１１からファイナライズ命令を受信し、ディスク・ファイナライズを行う。
【００５０】
システム制御器９１５は、特に本発明によって、前記情報記録媒体のファイナライズによって、前記ディスク１０のファイナルＴＤＭＳに含まれた可変サイズのＳＲＲＩと固定サイズのＴＤＤＳとの順序を再配列し、固定サイズのＴＤＤＳの次に、可変サイズのＳＲＲＩが位置するように配列する。ファイナルＴＤＭＳは、システム制御器９１５のメモリに保存されていることもあり、ディスク１０のＴＤＭＡに記録されていることもある。
【００５１】
そして、システム制御器９１５は、再配列されたＴＤＭＳを前記ディスク１０のＤＭＡに記録するように、ＤＳＰ  ９１２及びサーボ９１４を制御する。
【００５２】
ＤＳＰ  ９１２は、記録するデータをエラー訂正のために、パリティなど付加データを添加してＥＣＣ（Error  Correction  Code）エンコーディングを行い、エラー訂正ブロックであるＥＣＣブロックを生成した後、これを既定の方式で変調する。ＲＦ  ＡＭＰ  ９１３は、ＤＳＰ  ９１２から出力されたデータをＲＦ信号に変える。ピックアップ９２０は、ＲＦ  ＡＭＰ  ９１３から出力されたＲＦ信号をディスク１０に記録する。サーボ９１４は、システム制御器９１５からサーボ制御に必要な命令を入力され、ピックアップ９２０をサーボ制御する。
【００５３】
再生時にホストＩ／Ｆ  ９１１は、ホスト９３０から再生命令を受ける。システム制御器９１５は、再生に必要な初期化を行う。
【００５４】
システム制御器９１５は、ディスク１０の所定領域に記録された記録管理データを読み出すように、記録／読出し部９２０を制御する。特に、本発明によってディスク１０がファイナライズされた場合、システム制御器９１５は、ディスク１０のＤＭＡからＤＤＳの次の位置からＳＲＲＩを読み出すように、記録／読出し部９２０を制御する。
【００５５】
そして、その読み出されたＳＲＲＩに含まれた記録管理情報を確認し、その記録管理情報によって、ディスク１０に記録されたデータを再生する。
【００５６】
ピックアップは、ディスク１０にレーザビームを照射し、ディスク１０から反射されたレーザビームを受光して得られた光信号を出力する。ＲＦ  ＡＭＰ  ９１３は、ピックアップから出力された光信号をＲＦ信号に変え、ＲＦ信号から得られた変調されたデータをＤＳＰ  ９１２に提供する一方、ＲＦ信号から得られた制御のためのサーボ信号を、サーボ９１４に提供する。ＤＳＰ  ９１２は、変調されたデータを復調し、ＥＣＣエラー訂正を経て得られたデータを出力する。
【００５７】
一方、サーボ９１４は、ＲＦ  ＡＭＰ  ９１３から受けたサーボ信号と、システム制御器９１５から受けたサーボ制御に必要な命令とを受け、ピックアップに対するサーボ制御を行う。ホストＩ／Ｆ  ９１１は、ＤＳＰ  ９１２から受けたデータをホスト９３０に送る。
【００５８】
図１１は、本発明によるデータ記録方法の過程を示すフローチャートである。必須ではないが、本発明の１つの特徴は、システムコントローラ９１５のようなコンピュータ、またはプロセッサによって読み取り可能なコンピュータで読み取り可能な媒体にエンコードされたコンピュータ・ソフトウェア、またはファームウェアを利用し、方法の全部または一部を具現できる。
【００５９】
図１１を参照するに、記録再生装置９００の制御部９１０は、情報記録媒体のファイナライズ時に、ＴＤＭＡの最終ＴＤＭＳを獲得する（１１）。
【００６０】
次に、制御部９１０は、該最終ＴＤＭＳに含まれた可変サイズのＳＲＲＩと固定サイズのＴＤＤＳとの順序を再配列し、固定サイズのＴＤＤＳの次の位置に可変サイズのＳＲＲＩが位置するように配列する（１２）。
【００６１】
その後、制御部９１０は、再配列された最終ＴＤＭＳをＤＭＡに記録するように、記録／読出し部９２０を制御する（１３）。すなわち、制御部９１０は、情報記録媒体のＤＭＡにＤＤＳが最後に記録されるデータフレームの次のデータフレームからＳＲＲＩを記録し、前記ＤＭＡで、前記ＤＤＳ及び前記ＳＲＲＩが記録されて残ったデータフレームには、無意味なデータを記録する。
【００６２】
図１２は、本発明によるデータ再生方法の過程を示すフローチャートである。図１２を参照するに、制御部９１０は、ファイナライズされた情報記録媒体のＤＭＡから、ＤＤＳの次の位置からＳＲＲＩを読み出すように、記録／読出し部９２０を制御する（２１）。媒体がファイナライズされていない場合に、ＳＲＲＩ２３０，４２０は、ＴＤＤＳ２４０，４３０のＳＲＲＩポインタ２４２，４３１を利用して検出される。
【００６３】
そして、制御部９１０は、読み出されたＳＲＲＩを参照し、情報記録媒体を使用する（２２）。すなわち、ＳＲＲＩの内容に合うように、情報記録媒体からデータを再生する。
【００６４】
前述のような記録／再生方法はまた、コンピュータで読み取り可能な記録媒体に、コンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（Read-Only  Memory）、ＲＡＭ（Random-Access  Memory）、ＣＤ−ＲＯＭ、磁気テープ、フロッピー（登録商標）ディスク、光データ保存装置などがあって、またキャリアウェーブ（例えば、インターネットを介した伝送）の形態で具現されることも含む。また、コンピュータで読み取り可能な記録媒体は、ネットワークに連結されたコンピュータシステムに分散され、分散方式でコンピュータで読み取り可能なコードが保存されて実行されうる。そして、前記記録／再生方法を具現するための機能的な（function）プログラム、コード及びコードセグメントは、本発明が属する技術分野のプログラマらによって容易に推論されうるものである。
【００６５】
以上、本発明についてその望ましい実施形態を中心に説明した。本発明が属する技術分野で当業者ならば、本発明が本発明の本質的な特性から外れない範囲で変形された形態で具現できることを理解することができるであろう。従って、開示された実施形態は、限定的な観点ではなくして説明的な観点から考慮されねばならない。本発明の範囲は、前述の説明ではなくして特許請求の範囲に示されており、それと同等な範囲内にあるあらゆる差異点は、本発明に含まれるものと解釈されねばならない。
【図１】
2011081908.tif 000003
【図２】
2011081908.tif 000004
【図３Ａ】
2011081908.tif 000005
【図３Ｂ】
2011081908.tif 000006
【図４】
2011081908.tif 000007
【図５】
2011081908.tif 000008
【図６】
2011081908.tif 000009
【図７】
2011081908.tif 000010
【図８】
2011081908.tif 000011
【図９】
2011081908.tif 000012
【図１０】
2011081908.tif 000013
【図１１】
2011081908.tif 000014
【図１２】
2011081908.tif 000015